(57)【特許請求の範囲】
【請求項１】
平行かつ均等幅の複数の襞が加工された布地で縫製するプリーツスカートにおいて、
その縫製過程でスカートのウエスト部に施すつまみ縫いのつまみ量を、ウエスト前後部の領域でのつまみ量よりも、ウエスト脇部の領域でのつまみ量が多くなるように設定し、互いに重なり合う各襞の部分でかつその重なりの下側となる部分の襞の布地に、ウエスト部からその下方に延びる影襞を形成し、その影襞の長さがスカートの両脇部分では最も短く、前腹部分ではそれよりやや長く、ヒップ部分では最も長くなるように設定して縫製してなることを特徴とするプリーツスカート。
【請求項２】
ウエスト前後部の領域でのつまみ量に対し、ウエスト脇部の領域でのつまみ量が約２％多くなっていることを特徴とする請求項１に記載のプリーツスカート。
【発明の詳細な説明】
【０００１】
【発明の属する技術分野】
この発明は、例えば女子高校生用の制服として着用されるプリーツスカートに関する。
【０００２】
【従来の技術】
一般に、女子高校生用の制服として採用されているプリーツスカートは、襞数の比較的少ない１６〜２０車襞スカートとなっている。このような制服用のプリーツスカートの縫製に当たっては、生産性を高めるために、平行かつ均等幅の複数の襞をもつプリーツ型紙を使用し、この型紙に布地を挟み込んで折り畳み、永久プリーツ加工を施してスカート用の身頃としている。
【０００３】
この身頃の表襞にあたる部分はすべて均等幅であり、１６車スカートで１襞が６ｃｍであるならば、外周が１６×６＝９６ｃｍのスカートとなる。ウエスト部の縫製の際には、設定されているウエストのサイズに絞り込むために各襞を均等につまんでベルト生地に縫い付けるつまみ縫いが行なわれる。この縫製作業は自動機を用いて行なわれている。
【０００４】
このつまみ縫の際のつまみ量は各襞ごとに均等であるから、１つ１つの襞の形状はすべて均一となり、これらの襞で構成されるスカートの立体的な平面形状は真円に近くなり、図１０に示すようにそのスカートのヒップ部Ｈとウエスト部Ｗは平面的に見ると同心円となる。
【０００５】
【発明が解決しようとする課題】
ところが、実際の人体（スカートの着用者；女性）の腰回り部分の断面形状は楕円に近い形状で、相当複雑な形状となっている。すなわち、図１１に示すように、ウエストの輪郭のラインＷは楕円に近く、ヒップの輪郭のラインＨはそのウエストの後部に突出し、したがってウエストはヒップよりかなり前方に位置している。また脇部では腰骨が張り出している。正面から見ると、図１２（Ａ）に示すように腰骨によりウエストの下側の脇部が高い位置で張り出し、側面から見ると、図１２（Ｂ）に示すように、ヒップがかなり低い位置で張り出している。人体の前面は、ウエストとヒップとの中間部分（中ヒップ）が最も張り出しており、全体としてかなり複雑な形状をなしている。
【０００６】
プリーツスカートの着用の際に各襞が最も落ち着く状態を考えると、襞を正面から見たときにその襞が地面に対して垂直（９０度）に延びている状態が襞が左右に取られず、襞立ちのない最も落ち着く状態である。
【０００７】
ウエスト部およびヒップ部が真円であるプリーツスカートを円錐形物体に着用させた場合には各襞が落ち着いて襞立ちが起こらない。しかし、このスカートを実際の人体に合わせると、その形状の違い、特に脇部の形状の違いにより不体裁な襞立ちが起きてしまう。このようなことを考えると、スカートの形状を実際の人体の形状に対応させれば襞立ちが起こらないことになる。
【０００８】
ところで、特開平８−２３２１０３号に開示されているプリーツスカートにおいては、着用者に対して前後面に当たる部分の襞の幅よりも脇部に当たる部分の襞の幅が広くなるように加工して着用時の襞立ちを防止するようにしている。
【０００９】
しかしながら、襞の幅を部分的に変えると、スカートの生地が柄物である場合に、柄ずれが生じてしまう。近年、女子高校生の制服としてはチェック等の柄物が主流となっており、縦柄はもちろんのこと横柄も合わせなければならず、この場合、各表襞幅、各奥襞幅が均一でなければならない。
【００１０】
この発明はこのような点に着目してなされたもので、その目的とするところは、不体裁な襞立ちを抑え、着用者の体型に沿った美しいシルエットが得られ、また生地が柄物であってもその柄ずれが生じることのないプリーツスカートを提供することにある。
【００１１】
【課題を解決するための手段】
この発明はこのような目的を達成するために、平行かつ均等幅の複数の襞が加工された布地で縫製するプリーツスカートにおいて、その縫製過程でスカートのウエスト部に施すつまみ縫いのつまみ量を、ウエスト前後部の領域でのつまみ量よりも、ウエスト脇部の領域でのつまみ量が多くなるように設定し、互いに重なり合う各襞の部分でかつその重なりの下側となる部分の襞の布地に、ウエスト部からその下方に延びる影襞を形成し、その影襞の長さがスカートの両脇部分では最も短く、前腹部分ではそれよりやや長く、ヒップ部分では最も長くなるように設定して縫製するようにしたものである。
【００１２】
そして、女子高校生用のプリーツスカートを対象とする場合には、ウエスト部の前後部の領域でのつまみ量よりも、両脇部の領域でのつまみ量が約２％多くなるように設定する。
【００１４】
【発明の実施の形態】
図１には、女子高校生用の制服としてデザインされたプリーツスカートを示してある。このプリーツスカートは平行かつ均等幅の１６本の襞１をもつ身頃２を用い、この身頃２の上部をつまみ縫いを施しながらベルト生地３に縫い付けて１６車襞のプリーツスカートとしてある。
【００１５】
このようなプリーツスカートの縫製にあたり、スカートの形状を着用者の人体の形状に的確にマッチさせるには、より正確で、多くの人体寸法データが必要である。そこで、全国３万４千人の人体寸法計測データをもつＨＱＬデータを使用し、このデータに基づいてスカートを縫製してある。（このとき使用したデータは、ＨＱＬデータを用いて作成した１６歳、１８歳、２０歳のマネキン、３Ｄデータである。）
図２には、上記データに基づく１６歳と２０歳の腰回り部分の断面形状を示してあり、Ｗがウエストの輪郭ライン、Ｈがヒップの輪郭ラインである。この図から明らかなように１６歳と２０歳とではヒップの形状がかなり違い、特に腰骨が張り出した脇部の形状がはっきりと違うことが分かる。
【００１６】
ここでの目標は女子高校生に最もマッチするスカートの作成であるから、１６歳のヒップ形状のデータに基づいて試作１のスカートを次に手法を用いて作成した。
【００１７】
まず、スカートを縫製するときのつまみ縫いのつまみ量を割り出すために、図３に示すように、１６歳のヒップの輪郭ラインＨを用い、このラインＨをスカートの襞数に対応して１６等分し、その各点１〜１６を設定する。
そして図４に示すように、等分した一つの点Ｘから垂直に起立する線Ｌを延ばし、この線ＬをウエストのラインＷの配置側に倒し、この倒した線ＬとウエストのラインＷのとが交わる点Ｘ′を求める方法で、図３に示すように等分した１〜１６の各点に対応するウエストのラインＷ上にＡ〜Ｐの各点を求める。
【００１８】
ここで、ウエストのラインＷの外形の大きさはヒップのラインＨの大きさよりも小さいから、ヒップのラインＨを等分した１〜１６の各点間の幅よりもウエストのラインＷに定まったＡ〜Ｐの各点間の幅が小さくさくなり、この幅がスカートのウエスト部での表襞の幅となるから、その幅の減少分をウエスト部でのつまみ縫いのつまみ量として設定する。
次の表１には、ウエスト部での各襞の領域と襞幅を示してある。なお、プリーツ加工時の各襞の幅は均等で、６．１８ｃｍである。
【００１９】
【表１】
0003871414.tif 000002
【００２０】
この表１に示されているように、人体の前中心、後中心の周辺はかなり平面的な部分であるため、つまみ量が少なく、これに対し人体の両脇部では腰骨の張り出しで曲率が大きいため、つまみ量が多く、襞幅が狭くなっていることが分かる。
【００２１】
この試作１の場合は、１６歳のヒップ形状のデータを基にしているが、スカートの着用者としては１６歳〜１８歳の女子高校生を考えなければならないから、１６歳のヒップ形状のデータのみを用いたのでは女子高校生の各年齢層のすべてを網羅することができない。
【００２２】
そこで、次のような試作２のスカートを作成した。この試作２のスカートの作成にあたっては、女子高校生の年齢層を考え、１６歳のヒップ形状と１８歳のヒップ形状のデータを合わせた図５に示す合成のヒップ形状Ｈをデータとして使用した。１６歳と１８歳とでのヒップ形状の差は、１８歳のヒップ形状の方が腰骨の開きがやや大きい。
【００２３】
試作１の場合には、ヌードヒップの輪郭ラインを１６等分してつまみ量を割り出すようにしたが、実際のスカートにはヒップ部に６〜７ｃｍのゆとりを入るのが普通であるから、この試作２においては、１６歳と１８歳との合成ヒップ形状Ｈの輪郭の外側にそのゆとりを入れた楕円Ｈ1 を設定し、この楕円Ｈ1 の形状を基にして前記と同様の手法でつまみ量を設定した。この場合の結果を示すと、次の表２の通りである。
【００２４】
【表２】
0003871414.tif 000003
【００２５】
この試作２の場合には、試作１の場合と比較して若干の数値の差はあるものの、スカートの半身でＡ−Ｂ、Ｂ−Ｃ、Ｈ−Ｉがつまみ量が少なく、その他の５襞が多いのは変わらないという結果が得られた。
【００２６】
試作２では、１６歳と１８歳との合成ヒップ形状Ｈの輪郭の外側にゆとりを入れた楕円Ｈ1 を想定し、その楕円Ｈ1 の形状を基にしてスカートを作成しているが、実際の人体が着用したときにおけるスカートのヒップ部の形状は楕円ではなくもっと複雑な形状をしている。
【００２７】
そこで、実際の人体がスカートを着用したときのスカートの形状、ゆとりの入り方をシルエッターを用いて割り出した。このシルエッターで割り出したデータを図６に示してある。
【００２８】
そして１６歳と１８歳との合成ヒップ形状Ｈの輪郭の外側にそのデータに基づくゆとりを入れた楕円Ｈ2 を図７に示すように設定し、この楕円Ｈ2 の形状を基にして前記と同様の手法でつまみ量を設定した。この場合の結果を次の表３に示してある。
【００２９】
【表３】
0003871414.tif 000004
【００３０】
この試作３においては、試作１、２と比較して若干の数値の差はあるものの、脇部の襞立ちの問題も解消し、人体に沿った形状のスカートとなり、最もよい結果が得られた。
【００３１】
また、スカートの半身でＡ−Ｂ、Ｂ−Ｃ、Ｈ−Ｉがつまみ量が少なく、その他の５襞が多いという点でも試作１、２と変わっていない。
しかしながら、試作３のスカートを縫製する場合、試作１、２も同様であるが、各襞でのつまみ量がばらばらであるため、実際の縫製作業が困難で、自動機の使用も難しく、大量生産に向かなくなる。
【００３２】
そこで、試作１、２、３で得られたデータを基に、ある程度の縫製の簡易化ができるサンプルの作成を行なった。縫製の難易度は１襞１襞でのつまみ量が異なるかどうかであるから、襞ごとのつまり量をある程度集約することによって簡易化することが可能である。
【００３３】
縫製の難易はつまみ量を２種類にするか３種類にするかで大きく変わるし、また自動機での対応の範囲を考慮すれば、つまみ量は２種類に分類することが最も好ましい。
前記試作１、２、３のデータ（スカートの半身部分での各襞幅ｃｍ）をまとめると次の表４の通りとなる。
【００３４】
【表４】
0003871414.tif 000005
この表３のデータを百分率に換算して表すと次に表５の通りとなる。
【００３５】
【表５】
0003871414.tif 000006
【００３６】
いずれの試作１、２、３のスカートでも、表４中の太枠内の部分の襞の幅が広く、他の部分の襞の幅が狭くなる関係となっている。これは、スカートの前後部の領域の各襞部分でのつまみ量が少なく、スカートの脇部の領域の各襞部分でのつまみ量が多くなっていることを表している。
【００３７】
そして幅の広い襞と幅の狭い襞との間でのその幅の差、つまりつまみ量の差が４％以上となると、実際の観察上、外観が非常に悪くなるという結果が得られた。
【００３８】
したがってその差は３％以内に収めることが必要である。この観点から、次の表６に示すように、幅の広い襞と幅の狭い襞との間でのその幅の差が１％、２％、３％となるサンプル１、２、３を作成し、その外観の良否を比較した。
【００３９】
【表６】
0003871414.tif 000007
【００４０】
この比較の結果、幅の広い襞と幅の狭い襞との間でのその幅の差、つまりつまり量の差が２％であるサンプル２のスカートが、最も襞立が起こらず、人体の体型に最も合う形状のものとなった。
【００４１】
このような経緯のもとに、この発明では、平行かつ均等幅の複数の襞が加工された布地でプリーツスカートを縫製するときに、スカートのウエスト部に施すつまみ縫いのつまみ量を、ウエスト前後部の領域でのつまみ量よりも、ウエスト脇部の領域でのつまみ量が約２％多くなるように設定したものである。
【００４２】
このような設定で縫製したプリーツスカートにおいては、このスカートを女子高校生が着用したときに、ウエスト部でのつまみ量の差により各襞がその人体に沿って滑らかに延びて襞立ちが起らず、女子高校生の体型に合った美しいシルエットが得られ、また各襞がこれを正面から見たときに地面に対してほぼ直角に配置し、外観的な見栄えが良好となる。
【００４３】
そしてスカートの身頃の各襞が平行で均等な幅に加工されているから、その身頃の布地が柄物であってもその柄が隣り合う襞ごとにずれるようなことなく、スカートの全体で均一に整う。
【００４４】
さらにこの発明においては、図８に示すように、各襞１にウエスト部３からその下方に延びる影襞４を設けることが有効である。これら影襞４は、互いに重なり合う各襞の部分でかつその重なりの下側となる奥襞部分の布地に施す。
【００４５】
このような影襞４を布地に施すと、その影襞４の長さ方向の部分に張りが生じる。したがって影襞４が途絶える部分において布地が屈曲するようになるが、ここで人体のウエスト部からヒップ部の体型を見ると、図９に示すように、ウエスト部の両脇部分では腰骨の張り出しによりウエスト部に最も近いＡ部に屈曲があり、前腹部ではウエスト部からやや離れたＢ部に屈曲があり、ヒップ部ではウエスト部から最も離れたＣ部に屈曲がある。そこで、この発明においては、スカートの両脇部分に設ける影襞４の長さを最も短く、前腹部分に設ける影襞４の長さをそのれよりやや長く、ヒップ部に設ける影襞４の長さを最も長くしてある。
【００４６】
このように影襞４の長さを調整することにより、スカートの布地の張りの部分から屈曲する部分に亘る形状が人体の両脇部、前腹部、ヒップ部の各部の形状にマッチし、したがってスカートの全体の布地が人体の外形に沿って滑らかにフィットし、より一層美しいシルエットが得られる。
【００４７】
【発明の効果】
以上説明したようにこの発明のプリーツスカートによれば、不体裁な襞立ちを抑えることができ、着用者の体型に合った美しいシルエットが得られ、また生地が柄物であってもその柄ずれを防止することができる。
【００４８】
そしてウエスト部の前後部の領域の各襞部分でのつまみ量よりも、両脇部の領域の各襞部分でのつまみ量が約２％多くなるように設定することにより、特に女子高校生の体型に合った美しいシルエットが得られ、また互いに重なり合う各襞でかつその重なりの下側となる部分の布地に、ウエスト部からその下方に延びる影襞を形成し、その影襞の長さをスカートの両脇部分では最も短く、前腹部分ではそれよりやや長く、ヒップ部分では最も長くなるように設定することにより、スカートの布地の張りの部分から屈曲する部分に亘る形状が人体の両脇部、前腹部、ヒップ部の各部の形状にマッチし、したがってスカートの全体の布地が人体の外形に沿って滑らかにフィットし、より一層美しいシルエットが得られる。
【図面の簡単な説明】
【図１】この発明の一実施形態に係るプリーツスカートの外観を示す斜視図。
【図２】１６歳と２０歳のそれぞれの腰回り部分の断面形状を示す図。
【図３】プリーツスカートのつまみ縫いのつまみ量を割り出す方法を説明するための図。
【図４】プリーツスカートのつまみ縫いのつまみ量を割り出す方法をさらに説明するための図。
【図５】１６歳と１８歳のヒップ形状のデータを合成して作成した腰回り部分の断面形状を示す図。
【図６】スカートの着用時におけるそのスカートの形状とゆとりの量を示す図。
【図７】腰回り部分の断面形状の輪郭の外側に所定のゆとりを入れて描いたラインの形状を示す図。
【図８】プリーツスカートの布地に影襞を形成する状態を示す斜視図。
【図９】人体の体型を示す図。
【図１０】従来のプリーツスカートの平面的な形状を示す図。
【図１１】人体の腰回り部分の断面形状を示す図。
【図１２】人体のウエストからヒップに亘る部分のシルエットを示す図。
【符号の説明】
１…襞
２…ベルト地
３…ウエスト部
４…影襞
【図１】
0003871414.tif 000008
【図２】
0003871414.tif 000009
【図３】
0003871414.tif 000010
【図４】
0003871414.tif 000011
【図５】
0003871414.tif 000012
【図６】
0003871414.tif 000013
【図７】
0003871414.tif 000014
【図８】
0003871414.tif 000015
【図９】
0003871414.tif 000016
【図１０】
0003871414.tif 000017
【図１１】
0003871414.tif 000018
【図１２】
0003871414.tif 000019